(57)【要約】【課題】  電源コードが露出しない状態に設置でき、照明対象の空間を含めた意匠性の高い照明を行えるようにする。【解決手段】  照射光束Ｂの角度Ｂａが狭角に設定された光源２が設けられ、光照射方向が下方に向く状態に光源２を天井１に設置自在な取付部Ｓが設けられ、光源２からの光を透過又は反射又は屈折又は拡散の単独或いは組み合わせによって室内に照射自在な照明部４が設けられ、照明部４を光源２の光照射範囲内に位置する状態に天井１から垂下自在な線材３が設けられている。【選択図】        図２
2005243285.tif 000002
【特許請求の範囲】
【請求項１】
照射光束の角度が狭角に設定された光源が設けられ、光照射方向が下方に向く状態に前記光源を天井に設置自在な取付部が設けられ、前記光源からの光を透過又は反射又は屈折又は拡散の単独或いは組み合わせによって室内に照射自在な照明部が設けられ、前記照明部を前記光源の光照射範囲内に位置する状態に天井から垂下自在な線材が設けられている照明器具。
【請求項２】
前記取付部は、前記光源を天井面から天井裏へ引退した状態に取り付けるように構成してある請求項１に記載の照明器具。
【請求項３】
前記線材は、透明に形成してある請求項１又は２に記載の照明器具。
【請求項４】
前記線材は、二本以上設けられている請求項１〜３の何れか一項に記載の照明器具。
【発明の詳細な説明】
【技術分野】
【０００１】
本発明は、天井に取り付けることができ、光源からの光で周囲を照明自在な照明器具に関する。
【背景技術】
【０００２】
従来、この種の照明器具としては、室内全体を万遍なく照明するものとして、図１０（イ）に示すように、光源２を備えた装置本体２０を天井１に沿わせて直に取り付けて、その光源２からの光で室内を照明するものがあった（例えば、特許文献１参照）。
また、照明対象に近い位置で照明するものとして、図１０（ロ）、図１１に示すように、光源２を備えた装置本体２０を天井１から吊り下げ部材３で吊り下げ配置してあるものがあった。
後者のものは、所謂「ペンダントライト」と呼ばれるものがその代表的なものであり、電源コード５は、吊り下げ部材３とは別に設けて天井１から装置本体２０まで配線してあるもの（図１１参照）や、吊り下げ部材３と電源コード５とを一体に形成したもの（図１０（ロ）参照）等があった（例えば、特許文献２、特許文献３参照）。
【０００３】
【特許文献１】実用新案登録第３０７３６２８号公報（図１〜３）
【特許文献２】特開平８−１７１８０９号公報（図１）
【特許文献３】特開２００３−７１２９号公報（図１〜３）
【発明の開示】
【発明が解決しようとする課題】
【０００４】
上述した従来の前者の照明器具によれば、天井に沿わせて取り付けられた装置本体からの光で室内を直接的に照明するもので、所謂「直接照明」の代表とされる形式であるから、装置本体そのものの形状や色等をデザインすることによる意匠性の向上は可能であるが、照明する対象の空間を含めた意匠性の向上を図るまでには至らなかった。
この意味で、上述した後者の照明器具によれば、装置本体を天井から吊り下げることで、光を放つ部分を照明空間に位置させることができ、空間を照明によって演出し易くなるものである。しかしながら、装置本体を空間内に位置させるに伴って、電源コードを天井内から装置本体まで配線する必要が生じ、必然的に前記空間に電源コードが露出することとなる。その結果、この電源コードが、全体的な意匠性の低下を招くこととなり、更なる、意匠性の向上が望まれていた。
因みに、電源コードに使用される金属線は、発熱抑制や感電防止の見地から、相当量の断面積を確保する必要があると共に、合成樹脂等で被覆を設ける必要があり、それらの結果、電源コードは目立った外観となり易い。
一方、このような電源コードを用いずに送電する技術について考えると、例えば、電磁誘導やマイクロウェーブを利用したものがあるが、照明装置に用いるには、電磁誘導では送電距離が短すぎる問題がある一方、マイクロウェーブでは安全性の問題があり、照明装置には採用することが困難とされている。
【０００５】
従って、本発明の目的は、上記問題点を解消し、電源コードが露出しない状態に設置でき、照明対象の空間を含めた意匠性の高い照明を行える照明器具を提供するところにある。
【課題を解決するための手段】
【０００６】
本発明の第１の特徴構成は、照射光束の角度が狭角に設定された光源が設けられ、光照射方向が下方に向く状態に前記光源を天井に設置自在な取付部が設けられ、前記光源からの光を透過又は反射又は屈折又は拡散の単独或いは組み合わせによって室内に照射自在な照明部が設けられ、前記照明部を前記光源の光照射範囲内に位置する状態に天井から垂下自在な線材が設けられているところにある。
【０００７】
本発明の第１の特徴構成によれば、光源は天井に取り付けることができると共に、照明部は、光源からの光を受けて室内を照明できるように天井から垂下された状態に設置することが可能となる。即ち、光源は天井にありながら、その光源からの狭角の照射光束を、照明部で受けて透過又は反射又は屈折又は拡散の単独或いは組み合わせによって室内を照明することが可能となるから、天井から照明部にわたって電源コードを設ける必要が無く、従来のように、電源コードが垂れ下がって意匠性を低下させると言ったことを防止できる。
そして、光源は、照射光束の角度が狭角に設定されていることで周囲に光が漏れ難く、その存在が目立ち難いことから、あたかも前記照明部が宙に浮かんだ状態で自らが発光しているかのごとく照明状態を作り出すことが可能となる（以後、トリック効果という）。その際、照明部を天井から吊り下げる前記線材は、極めて細いものや透明のものを使用することが可能であるから、尚更、照明部の浮遊感が強まり、照明効果に加えて、今までにはなかった意匠性が得られ、光による演出効果を対象空間全体で発揮することができる。
【０００８】
本発明の第２の特徴構成は、前記取付部は、前記光源を天井面から天井裏へ引退した状態に取り付けるように構成してあるところにある。
【０００９】
本発明の第２の特徴構成によれば、本発明の第１の特徴構成による上述の作用効果を叶えることができるのに加えて、光源を天井面から天井裏へ引退した状態に取り付けることが可能となり、光源そのものの存在が分かり難くでき、上述のトリック効果をより好ましい状態で発揮することが可能となる。
【００１０】
本発明の第３の特徴構成は、前記線材は、透明に形成してあるところにある。
【００１１】
本発明の第３の特徴構成によれば、本発明の第１又は２の特徴構成による上述の作用効果を叶えることができるのに加えて、線材に当たる光を透過できるから、線材そのものの存在が分かり難くでき、上述のトリック効果をより好ましい状態で発揮することが可能となる。
【００１２】
本発明の第４の特徴構成は、前記線材は、二本以上設けられているところにある。
【００１３】
本発明の第４の特徴構成によれば、本発明の第１〜３の何れかの特徴構成による上述の作用効果を叶えることができるのに加えて、一本の線材で吊り下げ支持するのに比べて、より安定した状態に照明部を吊り下げ保持することができると共に、仮に、何らかの理由で一方の線材が切れるようなことがあっても、残った線材によって継続的に照明部の支持を叶えることができ、落下防止を図ることができる。
【発明を実施するための最良の形態】
【００１４】
以下に本発明の実施の形態を図面に基づいて説明する。尚、図面において従来例と同一の符号で表示した部分は、同一又は相当の部分を示している。
【００１５】
〔第一実施形態〕
図１、図２は、本発明に係わる照明装置Ｌの一例品（以後、単に照明器と言う）Ｌ１を設置してある状況を示すものである。
【００１６】
この照明器Ｌ１は、天井１に埋設された光源２と、天井１から複数の線材３で垂下された照明部４とを備えて構成されている。
【００１７】
前記光源２は、照射光束の角度が狭角に設定された所謂「ダウンライト」で構成してある。
具体的な構造は、円筒形状の外カバー２ａ内に、電球２ｂを内装して構成されており、外カバー２ａの上端部には、前記電球２ｂに電気を供給できるように電源コード５が取り付けられている。また、外カバー２ａの下端部の外周には、鍔状部２ｃが形成してあると共に、その鍔状部２ｃとで天井板１ａを挟持操作自在な挟持部２ｄが設けられている。
そして、天井１への取り付けは、予め天井１に形成された光源設置用穴１ｂに、下方から前記外カバー２ａを挿入して、前記鍔状部２ｃを天井板１ａの下面に接当させ、続いて前記挟持部２ｄをセットして天井板１ａを鍔状部２ｃと挟持部２ｄとで挟持する状態にして取り付けられている。前記鍔状部２ｃと挟持部２ｄとで取付部Ｓが構成されている。
また、電球２ｂからの光は、図には示さないが、例えば、前記外カバー２ａ内において光路を拘束したり、又は、レンズによって光路を絞ったり、又は、それらを組み合わせたりして、照射光束Ｂの角度Ｂａが狭角となるようにされた状態で外カバー２ａの下端から下方に向けて照射される。
因みに、照射光束Ｂの角度Ｂａは、前記照明部４との離間距離や、照明部４の大きさによって好ましい値が変わるが、室内の他の部分から光源の光が直接に見え難くするためには小さくすればするほどその効果がある。通常は、５〜３０度程度の角度に設定することが実用上好ましい。
【００１８】
前記線材３は、当該実施形態においては、前記光源２からの光路を挟んだ両側方に各別に設けてあり、例えば、ピアノ線や、合成樹脂製の極細繊維や、天然繊維等を使用することができる。また、合成樹脂製の線材３を用いる場合、透明に仕上げてあれば、室内の他の部分から線材３が見え難く、前記照明部４が宙に浮かんでいるように見え易い。
また、線材３の上端は、前記天井１に固定されると共に、線材の下端には、前記照明部４が前記光源２の光照射範囲内に位置するような配置状態に取り付けられている。
【００１９】
前記照明部４は、図１に示すように、円板の中央部を円形に切り欠いた形状に形成してある。即ち、リング状部４ａと、その中央の切欠き孔４ｂとで構成されている。また、素材は、すりガラスによって構成されている。
そして、リング状部４ａの外径は、前記照射光束Ｂの外周部にほぼ等しくなるように設定してある。また、前記線材３によって、照明部４の板面がほぼ水平となるように垂下されている。従って、前記光源２からの光は、円板中央部の切欠き孔４ａ部分においては、そのまま下方まで透過し、対象部を直接的に照明する。一方、リング状部４ａ部分においては、すりガラスによって光が拡散され、リング状部４ａそのものが発光しているかのように周囲に軟らかな光の広がりを見せる。そして、その光の広がりによって周囲を間接的に照明することができる。
尚、リング状部４ａの素材は、すりガラスに限るものではなく、例えば、半透明の合成樹脂素材や、薄い紙や布等によって同様の拡散効果を導き出すことが可能である。
また、すりガラスに替えて、透明材料（例えば、ガラスや合成樹脂）を使用することも可能で、この場合は、光の透過や屈折等の作用によって照明することが可能となる。
一方、照明部４の形状に関しては、円環形状に限るものではなく、例えば、矩形環形状であってもよい。更には、中央部に切欠き孔の無い形状、即ち、円板形状や矩形板形状であってもよい。そして、扁平な形状以外にも、立体的な形状であってもよい。
【００２０】
〔第二実施形態〕
図３、図４は、本発明に係わる照明装置Ｌの一例品（以後、単に照明器と言う）Ｌ２を設置してある状況を示すものである。
尚、前述の実施形態で説明したものと共通する部分の説明は省略し、特に異なる照明部４について詳しく説明する。
【００２１】
前記照明部４は、外観は、中央部を円形に切り欠いた傘形状に形成してある。そして、傘状部４ｃ中央の切欠き孔４ｂ下部には、切欠き孔４ｂを透過してきた光を傘状部４ｃの裏面側へ反射する円錐状の反射板４ｄが設けられている。
また、傘状部４ｃや反射板４ｄの素材は、合成樹脂（又は金属）等によって不透明に構成されている。
そして、傘状部４ｃの裏面（下面）、及び、反射板４ｄの表面（上面）は、光源２からの光を反射できるように鏡面加工してある。また、切欠き孔４ｂの直径は、前記照射光束Ｂの外周部とほぼ等しいか、若干大きくなるように設定してある一方、反射板４ｄの外径は、前記照射光束Ｂの外周部とほぼ等しくなるように設定してある。
従って、前記光源２からの光は、円板中央部の切欠き孔４ｂ部分を透過して反射板４ｄに達し、反射板４ｄによって傘状部４ｃの裏面に反射される。そして、反射光は、再度、傘状部４ｃによって下方に反射されて対象部を照明することができる。
当該照明器Ｌ２によれば、電源コードが天井１と照明部４との間に無いにも拘わらず、傘状部４ｃ内であたかも電球が発光しているかのごとく見せることができ、傘状部４ｃの下方を明るく照明することができる。
尚、傘状部４ｃや反射板４ｄは、不透明に形成されたものに限るものではなく、例えば、半透明や、透明に形成されていてもよく、その場合は、光の反射効果の他、透過や屈折や拡散等の作用でそれぞれ独特の照明効果を導き出すことが可能である。
一方、照明部４の形状に関しては、傘形状に限るものではなく、例えば、第一実施形態で説明したような扁平な円環形状であってもよい。
【００２２】
〔第三実施形態〕
図５〜図７は、本発明に係わる照明装置Ｌの一例品（以後、単に照明器と言う）Ｌ３を設置してある状況を示すものである。
尚、前述の実施形態で説明したものと共通する部分の説明は省略し、特に異なる部分について詳しく説明する。
【００２３】
当該照明器Ｌ３には、一つの照明部４に対して複数の光源２を設けてある。
光源２そのものの構成は、先の各実施形態と同様である。そして、各光源２は、所定の間隔をあけて天井１に取り付けてある。
【００２４】
前記照明部４は、上下逆の略『蒲鉾』型の中空体４ｅで構成してある。そして、中空体４ｅの上面の中央部には長手方向に沿って樋状の溝部４ｆが形成してある。
また、照明部４の素材は、半透明の合成樹脂（又はガラス）等によって構成されている。当該実施形態においては、複数のアクリル板を組み合わせて上述の外殻形状を作り出してある。
前記溝部４ｆの開口幅寸法は、前記照射光束Ｂの外径とほぼ等しくなるように設定してある。
従って、前記光源２から照射された光は、前記溝部４ｆに達し、溝部４ｆの部材厚み内で拡散された状態で中空体４ｅの内空部に達し、更に、中空体４ｅの部材厚み内で拡散された状態で外部に出て周囲を照明することができる。
そして、中空体４ｅの四隅が、前記線材３によって天井から支持されている。
このように、当該照明器Ｌ３によれば、電源コードが天井１と照明部４との間に無いにも拘わらず、中空体４ｅ内であたかも電球が発光しているかのごとく見せることができ、照明部４の周囲を、多重の拡散によって柔らかく広がった拡散光で明るく照明することができる。
尚、中空体４ｅや溝部４ｆは、半透明に形成されたものに限るものではなく、例えば、透明に形成されていてもよく、その場合は、光の拡散効果の他、透過や屈折等の作用でそれぞれ独特の照明効果を導き出すことが可能である。
一方、照明部４の形状に関しては、蒲鉾形状に限るものではなく、各種形状を採用することが可能である。
【００２５】
〔別実施形態〕
以下に他の実施の形態を説明する。
【００２６】
〈１〉  前記光源２は、先の実施形態で説明した形式のものに限るものではなく、各種公知の光源を採用することができる。要するに、照明部に対する照射光束Ｂの角度Ｂａが狭角に設定されたものであればよい。
〈２〉  前記取付部Ｓの構成は、先の実施形態で説明したように天井１を挟持することで取り付けるものに限らず、例えば、ネジ固定や釘固定、又は、接着等の手段によって取り付けるように構成することも可能である。また、前記取付部Ｓに前記線材３を固定する部分を設けることも可能で、そうすれば、天井に光源を取り付ける手間で、照明部をも設置することができ、照明装置の設置作業効率の向上を図ることが可能である。
〈３〉  前記光源２の天井１への取付状態は、先の実施形態で説明したように光源の下縁部が天井面とほぼ一致する状態に取り付けることに限らず、例えば、図８に示すように、天井面の表面に光源２が突出する状態に取り付けるものや、図９に示すように、光源２を天井面から天井裏へ引退した状態に取り付けるものであってもよい。
要するに、前記取付部Ｓは、光源２を天井１に取り付けるように構成されていればよい。
【００２７】
尚、上述のように、図面との対照を便利にするために符号を記したが、該記入により本発明は添付図面の構成に限定されるものではない。
【図面の簡単な説明】
【００２８】
【図１】第一実施形態の照明器具の取付状態を斜め下方から見た斜視図
【図２】第一実施形態の照明器具の取付状態の正面視断面図
【図３】第二実施形態の照明器具の取付状態を斜め下方から見た斜視図
【図４】第二実施形態の照明器具の取付状態の正面視断面図
【図５】第三実施形態の照明器具の取付状態を側方から見た斜視図
【図６】第三実施形態の照明器具の取付状態の側面視断面図
【図７】第三実施形態の照明器具の取付状態の正面視断面図
【図８】別実施形態の光源の取付状態を示す断面図
【図９】別実施形態の光源の取付状態を示す断面図
【図１０】従来例の照明器具を示す正面図
【図１１】従来例の照明器具を示す正面図
【符号の説明】
【００２９】
１      天井
２      光源
３      線材
４      照明部
Ｂ      照射光束
Ｂａ    角度
Ｓ      取付部
【図１】
2005243285.tif 000003
【図２】
2005243285.tif 000004
【図３】
2005243285.tif 000005
【図４】
2005243285.tif 000006
【図５】
2005243285.tif 000007
【図６】
2005243285.tif 000008
【図７】
2005243285.tif 000009
【図８】
2005243285.tif 000010
【図９】
2005243285.tif 000011
【図１０】
2005243285.tif 000012
【図１１】
2005243285.tif 000013